(57)【要約】【課題】パソコンの取扱いが苦手な場合等でも、電子アルバムを簡単かつ短時間に作成することができ、また作成したアルバム画像を容易に探し出せるようにする。【解決手段】写真台１１に載せた写真Ｐｂ、タイトルカードＰａ、手書きカードＰｃ、検索用カードＰｓ等の画像を読取り部１３にて読み取り、液晶表示部１４では上記写真Ｐｂ等の素材画像を表示しながら、これらの素材画像を組み合わせたアルバム画像を作成できる。そして、上記検索用カードＰｓにはその個別情報を示すバーコードＢＳ１〜ＢＳｎが付されており、アルバム画像の作成時に、この検索用カードＰｓ（バーコードＢＳ１〜ＢＳｎ）を読み取らせて、検索用カード個別情報をアルバム画像に関連付けて保存し、アルバム画像の作成後には、この検索用カードＰｓを読み取らせることによって多数のアルバム画像の中から見たいものを容易に探し出せるようにする。【選択図】図１
2006185224.tif 000002
【特許請求の範囲】
【請求項１】
写真及び手書きカードを含む各種カードを載せる写真台と、
この写真台に載せた写真及びカードを電子的に素材画像として読み取るための画像読取り部と、
この画像読取り部で読み取られた素材画像を表示すると共に、この素材画像の組合せからなるアルバム画像を表示する表示部と、
上記各種カードの１つであって、検索用カード個別情報が付与されかつアルバム画像検索用のキーワードが記載された検索用カードと、
この検索用カード個別情報を読み取る情報読取り部と、
作成されたアルバム画像を検索用カード個別情報と関連付けて保存する記憶媒体と、
上記表示部上に素材画像を表示しながらアルバム画像の編集・作成を制御すると共に、上記情報読取り部で読み取られた検索用カード個別情報に基づいて、上記記憶媒体に保存されているアルバム画像の検索を実行する制御部と、を備えてなる電子アルバム作成装置。
【請求項２】
上記各種カードの１つとして設けられたタイトルカードに個別情報を付与し、このタイトルカード個別情報によってこのタイトルカードに記載されているタイトルを電子アルバムの中の個々のアルバム画像のタイトルとして認識すると共に、このタイトルカード個別情報に関連付けてアルバム画像を保存することを特徴とする上記請求項１記載の電子アルバム作成装置。
【請求項３】
上記検索用カード個別情報とタイトルカード個別情報を光学的識別コードにて付与したことを特徴とする上記請求項１又は２記載の電子アルバム作成装置。
【請求項４】
上記検索用カード個別情報とタイトルカード個別情報を電気的識別素子にて付与し、この電気的識別素子を無線通信手段にて識別することを特徴とする上記請求項１又は２記載の電子アルバム作成装置。
【発明の詳細な説明】
【技術分野】
【０００１】
本発明は電子アルバム作成装置、特に写真や手書きカードの画像情報を読み取り、これらの写真やカードの画像情報に基づいて電子アルバムを自由に編集・作成し、また作成したアルバム画像を検索する新しい装置の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
しかしながら、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
また、台紙に貼り付けるアルバム或いはパソコン等で作成する電子アルバムのいずれの場合も、写真或いはアルバムの数が大量になると、整理が大変になり、観賞したい画像を探し出すのに時間がかかるという問題がある。
【０００５】
本発明は上記問題点に鑑みてなされたものであり、その目的は、パソコンの取扱いが苦手な場合又はパソコン等の知識を習得する時間がない場合でも、電子アルバムを簡単かつ短時間に作成することが可能となり、また作成したアルバム画像を容易に探し出すことができる電子アルバム作成装置を提供することにある。
【課題を解決するための手段】
【０００６】
上記目的を達成するために、請求項１の発明に係る電子アルバム作成装置は、写真及び手書きカード（文字、マーク、イラスト、絵等を手書きしたもの）を含む各種カードを載せる写真台（読取り台）と、この写真台に載せた写真及びカードを電子的に素材画像として読み取るための画像読取り部（例えばＣＣＤを用いた撮影部）と、この画像読取り部で読み取られた素材画像を表示すると共に、この素材画像の組合せからなるアルバム画像を表示する表示部と、上記各種カードの１つであって、検索用カード個別情報（識別情報）が付与されかつアルバム画像検索用のキーワードが記載された検索用カードと、この検索用カード個別情報を読み取る情報読取り部と、作成されたアルバム画像を検索用カード個別情報と関連付けて保存する記憶媒体と、上記表示部上に素材画像を表示しながらアルバム画像の編集・作成を制御すると共に、上記情報読取り部で読み取られた検索用カード個別情報に基づいて、上記記憶媒体に保存されているアルバム画像の検索を実行する制御部と、を備えてなることを特徴とする。
【０００７】
請求項２に係る発明は、上記各種カードの１つとして設けられたタイトルカードに個別情報（識別情報）を付与し、このタイトルカード個別情報によってこのタイトルカードに記載されているタイトルを電子アルバムの中の個々のアルバム画像のタイトルとして認識すると共に、このタイトルカード個別情報に関連付けてアルバム画像を保存することを特徴とする。
【０００８】
上記検索用カード個別情報とタイトルカード個別情報を光学的識別コード（バーコード、二次元コード等）とする場合は、この個別情報の読取り部として上記画像読取り部を利用し、かつここで読み取った光学的識別コードを検出する検出回路を設ける。また、この検索用カード個別情報とタイトルカード個別情報を電気的識別手段であるＩＣタグ等にて付与することもでき、この場合は、情報読取り部として無線ＩＤ読取り部等を用いることになる。
【０００９】
上記の構成によれば、電子アルバム作成の際には、写真台に載せた写真、タイトルカード、手書きカードが画像読取り部で電子画像として読み取られ、これらの電子画像が内部記憶部に記憶されると同時に、表示部へ表示される。この表示部には、写真、カードの素材画像を表示する素材画面（画面領域）とアルバム画像を表示するアルバム画面（画面領域）が設定されており、この素材画面の中から選択した素材画像を、アルバム画面内に任意な配置で貼り付けることにより、電子アルバム画像を自由に作成することができる。
【００１０】
また、検索用カードは、光学的識別コード又は電気的識別手段が付与され、かつ検索のキーワードの記載欄（白紙欄）を有しており、この検索用カードの記載欄に、アルバム画像に関連した文字、例えば、“山”、“海”、“Ａ（名前）さん”、“Ｂ（名前）さん”等の任意のキーワードを記載することができる。この検索用カードのバーコード（個別情報）は、作成した一連（１組）のアルバム画像を後に任意のキーワードで効率よく探し出すために、アルバム画像作成の際に読み取らせる。
【００１１】
更に、請求項２の構成を採用する場合は、光学的識別コード又は電気的識別手段が付与され、タイトルの記載欄（白紙欄）を有するタイトルカードが設けられており、このタイトルカードの個別情報が認識されることにより、このタイトルカードに記載されたタイトル画像はアルバム画像のタイトルとして自動的に貼り付けられると共に、作成した一連のアルバム画像がこのタイトル個別情報と関連付けられて保存される。このタイトルカードは、上記検索用カードの一種でもある。
【００１２】
そして、電子アルバムを閲覧する際には、このタイトルカードを写真台に置いてその個別情報を認識させることにより、そのタイトルのアルバム画像を即座に検索し表示することができると共に、検索用カードを写真台に置いてその個別情報を認識させることにより、このカードのキーワードで検索されたアルバム画像群が探し出される。例えば、キーワードが山であれば、山で撮影された画像を含むアルバム画像の全て、キーワードがＡさんであれば、Ａさんが撮影された画像を含むアルバム画像の全てが抽出され、表示器上に表示される。
【発明の効果】
【００１３】
本発明の電子アルバム作成装置によれば、パソコンの取扱いが苦手な場合又はパソコン等の知識を習得する時間がない場合でも、電子アルバムを簡単かつ短時間に作成することができ、また作成した多数のアルバム画像の中から観賞したいアルバム画像を容易に探し出すことが可能となる。
【発明を実施するための最良の形態】
【００１４】
図１〜図５には、実施例に係る電子アルバム作成装置の構成が示されており、図１及び図３に示されるように、この装置は、タイトルカードＰａ、写真Ｐｂ、手書きカードＰｃ、検索用カードＰｓ等を載せるために平面台とされた写真台（本体水平部）１１、この写真台１１の側面から出し入れ自在（使用しないときは内部に収納されている）に設けられた操作部１２、対物レンズと固体撮像素子であるＣＣＤを有する読取り部（画像読取り部）１３、液晶ディスプレイからなる液晶表示部１４を備えている。上記読取り部１３は、対物レンズ１３ａと固体撮像素子であるＣＣＤ１３ｂを有し、写真台１１上の読取り範囲Ｋ内の像を斜めからデジタル撮影（又はデジタルスキャン）により読み取ることができ、この読取りを一定の光照度で良好に行うために、照明部１６が設けられる。なお、実施例の読取り部１３では、写真Ｐｂ等を斜めから読み取っているが、読取り部１３を写真台１１の真上に配置し、写真Ｐｂ等を真上から読み取るようにしてもよい。
【００１５】
上記操作部１２は、図３（Ａ）に示されるように、上下左右移動キー１２ａ、入力キー１２ｂ、終了キー１２ｃ、剥しキー（又は取消しキー）１２ｄ、貼付けキー（又は確定キー）１２ｅを有しており、これらのキー１２ａ〜１２ｅによって編集のための操作が行われる。そして、図４に示されるように、上記操作部１２の操作に基づく編集のための動作制御や液晶表示部１４での表示制御を実行するため、写真台１１の内部に制御部（マイコン等）１８が設けられると共に、上記読取り部１３で読み取られたタイトルカードＰａ及び検索用カードＰｓに付されているバーコードＢａ１〜Ｂａｎ及びＢＳ１〜ＢＳＮを検出するバーコード検出部１９、写真Ｐｂ、手書きカードＰｃの素材画像Ｉｂ，Ｉｃ等やアルバム画像を記憶する内部の記憶媒体としてのハードディスク２０、タイトル画像Ｉａ、素材画像Ｉｂ，Ｉｃを貼り付けたアルバム画像を形成するための画像編集処理部２１が配置される。
【００１６】
図２に示されるように、バーコードＢＳ１〜ＢＳＮとキーワードの記載欄（白紙欄）とを設けた複数枚の検索用カードＰＳが用意されており、この検索用カードＰＳの記載欄には、アルバム画像に関連して作成者が任意に抽出した“山、海、海外、ゴルフ、テニス、釣り、Ａさん、Ｂさん…”等のキーワードが記載される（手書き又は印刷で書き込まれる）。これらの検索用カードＰｓには、検索用カードであることを含む各カードの個別情報（識別情報）として、バーコードＢＳ１，ＢＳ２，ＢＳ３，ＢＳ４，ＢＳ５，ＢＳ６，ＢＳ７，ＢＳ８，ＢＳ９…ＢＳｎが付与される（他の光学的識別コード等でもよい）。これらのバーコードＢＳ１〜ＢＳｎは、検索用カードＰｓを写真台１１に載せて読取り部１３で読み取ることにより、バーコード検出部１９で検出される。即ち、バーコードＢＳ１〜ＢＳｎを水平方向にスキャンして数字情報等を判別することにより、検索用カードとしての個別の情報が判別される。そして、この検索用カード個別情報は、アルバム画像（及び後述のタイトルカード個別情報）と関連付けられて保存される。
【００１７】
なお、このバーコードＢＳ１〜ＢＳｎは、常にカードの所定位置に付して検出領域を限定し、またタイトルカードＰａ及び検索用カードＰｓを常に一定の位置に置くように位置決めすることにより、その検出が容易となる。また、上記検索用カードＰｓには、そのバーコードＢＳ１〜ＢＳｎの横等に例えば１，２，３…の番号等が付されており、同一のバーコードには同一の番号等を付けることにより、作成者がバーコードの異同を判別できるようになっている。
【００１８】
更に、上記写真台１１に載せて読み込まれるタイトルカードＰａのそれぞれには、タイトルカードであることの情報を含む各カードの個別情報（識別情報）としてバーコードＢａ１〜Ｂａｎが付される。即ち、このタイトルカードＰａとして、下部等にバーコードＢａ１〜Ｂａｎ、上部に記載欄（白紙欄）を有するカードが用意されており、このカードの記載欄に手書きやプリンターで任意のタイトルを書き込むか又は印刷するようになっている。これによって、このカードがタイトルカードＰａであることが自動的に認識され、このタイトルカードＰａは、個々のアルバム画像を識別するための管理情報として利用される。
【００１９】
上記液晶表示部１４には、図５（Ａ）に示されるように、小さなメニュー画面（画面領域）１４Ａ、素材画面（画面領域）１４Ｂ及びアルバム画面（画面領域）１４Ｃが設けられる。即ち、上記メニュー画面１４Ａには、図５（Ｂ）の拡大図に示されるように、例えば画像読取りを行うための“画像読取”、アルバム画像編集を行うための“アルバム編集”、編集したアルバム画像をＤＶＤ等の記録メディア（記録媒体）へ保存するための“ＤＶＤ（ここではＤＶＤのみを示す）への保存”、ＤＶＤ（記録メディア）に格納されている画像素材の読出しを行うための“ＤＶＤ読出”、ＤＶＤ（記録メディア）に格納されているアルバム画像を読み出して上記ハードディスク２０へ保存するための“ＤＶＤから保存”、電子アルバムの閲覧をするための“アルバム閲覧”等のメニューが表示されており、これらの各メニューはそのいずれかを選択することができる。
【００２０】
また、上記“アルバム編集”メニューを選択した場合は、図５（Ａ）に示されるように、液晶表示部１４の右側に、読み込んだ写真Ｐｂの画像Ｉｂや手書きカードＰｃの画像Ｉｃを表示する素材画面（画面領域）１４Ｂが表示され、その左側に、編集完成すべきアルバム画像を表示するアルバム画面（画面領域）１４Ｃが表示・設定される。
【００２１】
更に、実施例では、図１に示されるように、写真台（本体水平部）１１の前面側に、ＤＶＤ駆動部（読出し／書込み部）２３ａ、その他の記録メディア（メモリ）のメディア駆動部２３ｂが配置されると共に、音声入力するためのマイク２４Ｍ及び音声出力するためのスピーカ２４Ｓが設けられている。即ち、この電子アルバムには、アルバム作成と同時に音声情報を記録し、アルバム閲覧時に音声出力することも可能である。
【００２２】
実施例は以上の構成からなり、図５（Ｂ）のメニューの“画像読取”を選択した後、図６（Ａ）のように、写真台１１に例えば“北海道旅行”というタイトルカードＰａを置いて入力キー１２ｂを押すと、タイトルカードＰａの画像ＩａがバーコードＢａ１と共に読み取られる。このバーコードＢａ１は、バーコード検出部１９で検出されることにより、タイトルカード個別情報（タイトカードであることを含む）が特定され、このタイトルカード個別情報がアルバム画像の管理情報として保存される。また、このタイトルカードＰａのバーコードＢａ１を取り除いたタイトル画像Ｉａはハードディスク２０に保存される。
【００２３】
次に、図６（Ｂ）に示されるように、“Ａさん”の検索用カードＰｓ（関連するキーワードが複数ある場合は複数のカードＰｓ）を写真台１１へ置いて入力キー１２ｂを押すと、バーコードＢＳ７が読み取られることになり、このバーコードＢＳ７によってこの検索用カードＰｓの検索用カード個別情報（検索用カードであることを含む）が特定され、この検索用カード個別情報は、アルバム画像及び上記タイトルカード個別情報と関連付けられて保存される。その後、図６（Ｃ），（Ｄ）のように、写真Ｐｂや手書きカードＰｃ、或いは印刷カード等を写真台１１に順に置き、入力キー１２ｂの操作をすることよって必要な写真Ｐｂ及び手書きカードＰｃ等の読取りが行われる。この写真Ｐｂ、手書きカードＰｃでは、所定の位置にバーコードがないので、そのままの画像が素材画像として読み取られる。そして、これらの素材画像は、ハードディスク２０に保存されると共に、その全てが図５（Ａ）の素材画面１４Ｂに表示される。なお、この画像読取り動作時では、素材画面１４Ｂのみをメニュー画面１４Ａ以外の領域に大きく表示するようにしてもよい。
【００２４】
次に、図５（Ｂ）のメニューの“アルバム編集”を選択すると、図５（Ａ）の状態となってアルバム画面１４Ｃへの編集が可能となり（上記“画像読取”の中でアルバム編集を行うこともできる）、上記タイトルカードＰａの読取りで保存した“北海道旅行”のタイトル画像Ｉａがアルバム画面１４Ｃ内の所定の位置に自動的に表示される。ここで、素材画面１４Ｂから写真Ｐｂの画像Ｉｂや手書きカードＰｂの“二人は仲よし”等の画像Ｉｃを上下左右移動キー１２ａで選択し、貼付けキー１２ｅを押すと、それらの画像が順にアルバム画面１４Ｃ内へ表示される。このとき、剥しキー１２ｄを使えば、一旦貼り付けた画像をアルバム画面１４Ｃ内から剥がす（取り除く）ことができる。なお、写真画像Ｉｂに装飾枠画像等を付加することもできる。
【００２５】
このようなアルバム画面１４Ｃ内への素材画像の貼付け編集においては、予め、タイトル画像Ｉａ、写真画像Ｉｂ、手書き画像Ｉｃのおおよその配置領域を設定し、その該当する画像を順番に貼り付ける（その位置の少しの移動調整は上下左右移動キー１２ａで行う）ようにしてもよいし、このような配置領域を設定せずに、上下左右移動キー１２ａで任意の場所に移動させて貼付け配置するようにしてもよい。
【００２６】
そして、操作部１２の終了キー１２ｃを押すことにより、上記素材画像（Ｉｂ，Ｉｃ）を貼り付けたアルバム画像がタイトルカード個別情報と共に、ハードディスク２０へ格納され、アルバム編集が終了する。なお、上記の例では、タイトルカードＰａ、検索カードＰｓ、写真Ｐｂ、手書きカードＰｃ等を順に読取り保存するようにしたが、図３（Ａ）に示されるように、これら複数を写真台１１に置き、全部を読み取った後に、それらの写真縁、カード縁を自動的に検出すること等により個別の素材画像として保存することもできる。
【００２７】
更に、図５（Ｂ）のメニューから“ＤＶＤ読出”を選択することにより、上述したＤＶＤ駆動部２３ａに挿入したＤＶＤから読み取った画像を素材画像として利用することができ（なお、メディア駆動部２３ｂを利用する場合は、例えば“画像読取”メニューから入って記録メディアの画像情報を読み取る）、メニューの“ＤＶＤへ保存”を選択すれば、完成したアルバム画像をＤＶＤへ保存することができ、メニューの“ＤＶＤから保存”を選択すれば、別の装置等で完成したアルバム画像を当該装置のハードディスク２０へ保存することができる。
【００２８】
また、当該装置では、図５（Ｂ）のメニューの“アルバム閲覧”を選択することにより、保存されているアルバム画像を表示部１４にて閲覧することができる。このアルバム閲覧では、見たいタイトルのタイトルカードＰａを写真台１１に置いて読み込ませることにより、そのバーコードＢａ１のタイトルカード個別情報で保存されているアルバム画像が抽出され、液晶表示部１４へ表示される。この液晶表示部１４を見て、例えば操作部１２の上下左右移動キー１２ａの操作で画像をめくるようにしながら、選択したタイトルカードＰａで保存されているアルバム画像の全てを観賞することができる。
【００２９】
そして、このようなアルバム閲覧においては、図２の“山”、“海”、“ゴルフ”、“テニス”、“Ａさん”、“Ｂさん”等のキーワードが記載された検索用カードＰｓを用いて観賞したいアルバム画像を探し出すことができる。例えば、“Ａさん”の検索用カードＰｓを写真台１１に載せてそのバーコードＢｓ７を読み取らせることにより、このバーコードＢｓ７に関連付けられたアルバム画像の全てが検索されて抽出され、上述したタイトル“北海道旅行”のアルバム画像を含む、Ａさんが写っているアルバム画像が表示される。このアルバム画像が複数ある場合は、例えば最初のページの縮小画像を一覧表示したり、又はタイトル画像Ｉａのみを一覧表示したりし、この中から選択したものを表示するようにしてもよい。
【００３０】
このようにして、キーワード“山”の検索用カードＰｓを用いれば、山に関連するアルバム画像、キーワード“ゴルフ”の検索用カードＰｓを用いれば、ゴルフに関連するアルバム画像というように、見たい画像を簡単に検索して引き出すことができる。また、図５（Ｂ）のメニューの“ＤＶＤへ保存”、後の“アルバム編集”の際も、同様にこの検索用カードＰｓを用いることができる。即ち、実施例では、作成後に“アルバム編集”を選択することにより、アルバム画像の再編集が可能であり、この場合等でも検索用カードＰｓを用いることができる。
【００３１】
上記実施例では、検索用カードＰｓ及びタイトルカードＰａの個別情報として、バーコードＢＳ１〜ＢＳｎ，Ｂａ１〜Ｂａｎを用いたが、この代わりに２次元コード（識別模様）等の他の光学的識別コードを付してもよい。また、この検索用カードＰｓ及びタイトルカードＰａの個別情報を識別する他の方法として、電気的識別素子としてのＩＣタグ（ＩＣチップ）等を用いるようにしてもよい。このＩＣタグを利用する場合は、図４に示されるように、写真台（本体水平部）１１の内部等に無線ＩＤ読取り部（又は無線通信リーダ／ライタ）２６を設けることになる。
【図面の簡単な説明】
【００３２】
【図１】本発明の実施例に係る電子アルバム作成装置の全体構成を示す斜視図である。
【図２】実施例の電子アルバム作成装置で用いられる検索用カードの構成を示す図である。
【図３】実施例の装置の構成を示し、図（Ａ）は上面図、図（Ｂ）は内部を示した側面図である。
【図４】実施例の装置の回路部を含む全体構成を示すブロック図である。
【図５】実施例の装置の液晶表示部で設定されるメニュー画面、素材画面及びアルバム画面の構成を示す図［図（Ａ）］、並びにメニュー画面の拡大図［図（Ｂ）］である。
【図６】実施例の画像読取り及びアルバム編集の動作時における各種カード及び写真の読取り手順を示す図である。
【符号の説明】
【００３３】
１１…写真台、            １２…操作部、
１３…読取り部、          １４…液晶表示部、
１６…照明部、            １８…制御部、
１９…バーコード検出部、  ２０…ハードディスク、
２１…画像編集処理部、    ２３ａ…ＤＶＤ駆動部、
２３ｂ…メディア駆動部、
ＢＳ１〜ＢＳｎ，Ｂａ１〜Ｂａｎ…バーコード、
Ｐａ…タイトルカード、    Ｐｂ…写真、
Ｐｃ…手書きカード、      Ｐｓ…検索用カード。
【図１】
2006185224.tif 000003
【図２】
2006185224.tif 000004
【図３】
2006185224.tif 000005
【図４】
2006185224.tif 000006
【図５】
2006185224.tif 000007
【図６】
2006185224.tif 000008